(57)【要約】      （修正有）【課題】オフラインでアプリケーションプログラム使用時間を管理するための方法及び端末デバイスを提供する。【解決手段】方法は、アプリケーションアイコンのクリック後にアプリケーションアイコンに対応する対象アプリケーションプログラムを起動する段階と、対象アプリケーションプログラムが、継続時間設定および延長設定を含む時間制御ルールが設定されている場合に、実際の使用継続時間に対する累積計時を実行する段階と、継続時間設定と実際の使用継続時間との差が予め設定された閾値より小さい場合に、時間制限が不十分であると提示すること及び更には、延長設定が設定されている場合に、時間延長が必要かどうかを示すためのメッセージを表示する段階と、本人認証が成功したら使用時間を延長すること、さもなければ、実際の使用継続時間が継続時間設定に達した後に対象アプリケーションプログラムを終了およびロックすることを行う段階と、を含む。【選択図】図１３
2020184367.tif 000002
【特許請求の範囲】
【請求項１】
オフラインでアプリケーションプログラム使用時間を管理するための方法であって、
端末デバイスの起動後にデスクトップを表示すること、および、前記デスクトップにアプリケーションアイコンを表示することを行う段階と、
前記アプリケーションアイコンのクリック後に前記アプリケーションアイコンに対応する対象アプリケーションプログラムを起動する段階と、
前記アプリケーションアイコンに対応する前記対象アプリケーションプログラムが、時間制御ルールが設定されているアプリケーションプログラムである場合に、前記対象アプリケーションプログラムの実際の使用継続時間に対する累積計時を実行する段階であって、前記時間制御ルールは、継続時間設定および延長設定を含む、実行する段階と、
前記継続時間設定と前記実際の使用継続時間との差が予め設定された閾値より小さい場合に、時間制限が不十分であると提示すること、および、更には、前記延長設定がはいに設定されている場合に、時間延長が必要かどうかを示すためのメッセージを表示することを行う段階と、
前記時間延長が必要であることを示す命令の後に本人認証が実行される場合に、前記本人認証が成功したら使用時間を延長すること、さもなければ、前記実際の使用継続時間が前記継続時間設定に達した後に前記対象アプリケーションプログラムを終了およびロックすることを行う段階と
を備える方法。
【請求項２】
前記延長設定は、リセット設定または遅延設定を含み、
前記本人認証が成功したら使用時間を延長することは、前記延長設定が前記リセット設定である場合に、前記本人認証が成功したと判定した後に前記累積計時をリセットすること、または、前記延長設定が前記遅延設定である場合に、前記本人認証が成功したと判定した後に前記継続時間設定により指定されている時間を延長することを有する、請求項１に記載の方法。
【請求項３】
前記時間制御ルールは更に、間隔設定を含み、
前記アプリケーションアイコンのクリック後に前記アプリケーションアイコンに対応する対象アプリケーションプログラムを起動する前記段階の前に、前記方法は更に、
前記対象プログラムの、今回の起動時点と前回の終了時点との間の時間間隔が前記間隔設定に即しているかどうかを判定すること、および、即している場合に、前記アプリケーションアイコンのクリック後に前記アプリケーションアイコンに対応する対象アプリケーションプログラムを起動する前記段階を実行すること、または、即していない場合に、開始点が前記継続時間設定と前記実際の使用継続時間との前記差である、カウントダウンの提示情報を表示することを行う段階を備える、請求項１または２に記載の方法。
【請求項４】
前記アプリケーションアイコンのクリック後に前記アプリケーションアイコンに対応する対象アプリケーションプログラムを起動する前記段階の前に、前記方法は更に、
アプリケーションプログラム管理設定インタフェースを表示すること、および、ユーザの認証後にアプリケーションリストを表示することを行う段階と、
前記ユーザによって選択された前記対象アプリケーションプログラムを受信すること、および、前記対象プログラムに関する前記時間制御ルールを受信することを行う段階と、
前記アプリケーションリスト内の前記アプリケーションアイコンの表示領域に、前記対象アプリケーションに関する前記時間制御ルールを表示する段階と
を備える、請求項１または２に記載の方法。
【請求項５】
アプリケーションプログラム管理設定インタフェースを表示すること、および、ユーザの認証後にアプリケーションリストを表示することを行う前記段階は、
前記設定管理インタフェースでアプリケーション時間管理命令を受信した後にアプリケーションプログラム管理インタフェースを表示する段階、
前記アプリケーションプログラム管理インタフェースを起動するのは今回が初めてであるという場合に、前記アプリケーションリストを直接表示すること、および、認証設定を受信することを行う段階、または、
前記アプリケーションプログラム管理インタフェースを起動するのは今回が初めてではないという場合に、前記認証設定により指定されている方法を用いることによって前記ユーザを認証すること、および、前記ユーザの認証後に前記アプリケーションリストを表示することを行う段階を有する、請求項４に記載の方法。
【請求項６】
前記認証設定は、指紋認証を含み、
前記指紋認証は、手指の指紋認証を設定することを含む、請求項５に記載の方法。
【請求項７】
前記アプリケーションプログラム管理インタフェースを起動するのは今回が初めてであるという場合に、前記アプリケーションリストを直接表示すること、および、認証設定を受信することを行う前記段階の前に、前記方法は更に、
前記端末デバイスの起動後にロックスクリーンインタフェースを表示すること、および、ロックスクリーン認証が成功した後に、端末デバイスの起動後にデスクトップを表示することを実行することを行う段階を備える、請求項５に記載の方法。
【請求項８】
前記デスクトップにアプリケーションアイコンを表示することは、
前記アプリケーションアイコンが、前記時間制御ルールが設定されている前記対象アプリケーションプログラムに対応する前記アイコンである場合に、前記アプリケーションアイコンにアノテーション識別子を表示することと、
前記アノテーション識別子をクリックするための命令を受信した場合に、前記時間制御ルールを表示することと
を有する、請求項１または２に記載の方法。
【請求項９】
端末デバイスであって、
前記端末デバイスの起動後にデスクトップを表示すること、および、前記デスクトップにアプリケーションアイコンを表示することを行うように構成されている表示ユニットと、
前記アプリケーションアイコンのクリック後に前記アプリケーションアイコンに対応する対象アプリケーションプログラムを起動するように構成されているアプリケーション制御ユニットと、
前記アプリケーションアイコンに対応する前記対象アプリケーションプログラムが、時間制御ルールが設定されているアプリケーションプログラムである場合に、前記対象アプリケーションプログラムの実際の使用継続時間に対する累積計時を実行するように構成されている計時ユニットであって、前記時間制御ルールは、継続時間設定および延長設定を含む、計時ユニットと、
前記継続時間設定と前記実際の使用継続時間との差が予め設定された閾値より小さい場合に、時間制限が不十分であると提示すること、および、更には、前記延長設定がはいに設定されている場合に、時間延長が必要かどうかを示すためのメッセージを表示することを行うように構成されている提示ユニットと
を備え、前記アプリケーション制御ユニットは更に、前記時間延長が必要であることを示す命令の後に本人認証が実行される場合に、前記本人認証が成功したら使用時間を延長すること、さもなければ、前記実際の使用継続時間が前記継続時間設定に達した後に前記対象アプリケーションプログラムを終了およびロックすることを行うように構成される、端末デバイス。
【請求項１０】
前記延長設定は、リセット設定または遅延設定を含み、
前記本人認証が成功したら前記使用時間を延長するように、前記アプリケーション制御ユニットが構成されることは、前記延長設定が前記リセット設定である場合に、前記本人認証が成功したと判定した後に前記累積計時をリセットすること、または、前記延長設定が前記遅延設定である場合に、前記本人認証が成功したと判定した後に前記継続時間設定により指定されている時間を延長することを含む、請求項９に記載の端末デバイス。
【請求項１１】
前記時間制御ルールは更に、間隔設定を含み、
前記アプリケーション制御ユニットは更に、前記アプリケーションアイコンのクリック後に前記アプリケーションアイコンに対応する前記対象アプリケーションプログラムを起動する前に、前記対象プログラムの、今回の起動時点と前回の終了時点との間の時間間隔が前記間隔設定に即しているかどうかを判定すること、および、即している場合に、前記アプリケーションアイコンのクリック後に前記アプリケーションアイコンに対応する前記対象アプリケーションプログラムを起動することを実行すること、または、即していない場合に、開始点が前記継続時間設定と前記実際の使用継続時間との前記差である、カウントダウンの提示情報を表示させるべく前記表示ユニットを制御することを行うように構成される、請求項９または１０に記載の端末デバイス。
【請求項１２】
前記表示ユニットは更に、前記アプリケーションアイコンのクリック後に前記アプリケーションアイコンに対応する前記対象アプリケーションプログラムが起動する前に、アプリケーションプログラム管理設定インタフェースを表示すること、および、ユーザの認証後にアプリケーションリストを表示することを行うように構成され、
前記端末デバイスは更に、前記ユーザによって選択された前記対象アプリケーションプログラムを受信すること、および、前記対象プログラムに関する前記時間制御ルールを受信することを行うように構成されている受信ユニットを備え、
前記表示ユニットは更に、前記アプリケーションリスト内の前記アプリケーションアイコンの表示領域に、前記対象アプリケーションに関する前記時間制御ルールを表示するように構成される、請求項９または１０に記載の端末デバイス。
【請求項１３】
前記表示ユニットが、前記アプリケーションプログラム管理設定インタフェースを表示すること、および、前記ユーザの認証後に前記アプリケーションリストを表示することを行うように構成されることは、前記設定管理インタフェースでアプリケーション時間管理命令を受信した後にアプリケーションプログラム管理インタフェースを表示すること、
前記アプリケーションプログラム管理インタフェースを起動するのは今回が初めてであるという場合に、前記アプリケーションリストを直接表示すること、および、認証設定を受信することを行うこと、または、
前記アプリケーションプログラム管理インタフェースを起動するのは今回が初めてではないという場合に、前記認証設定により指定されている方法を用いることによって前記ユーザを認証すること、および、前記ユーザの認証後に前記アプリケーションリストを表示することを行うことを含む、請求項１２に記載の端末デバイス。
【請求項１４】
前記認証設定は、指紋認証を含み、
前記指紋認証は、手指の指紋認証を設定することを含む、請求項１３に記載の端末デバイス。
【請求項１５】
前記表示ユニットは更に、前記アプリケーションプログラム管理インタフェースを起動するのは今回が初めてであるという場合に、前記アプリケーションリストを直接表示すること、および、認証設定を受信することを行うことの前に、前記端末デバイスの起動後にロックスクリーンインタフェースを表示するように構成され、かつ、ロックスクリーン認証が成功した後に、デスクトップを表示することを実行するように構成される、請求項１３に記載の端末デバイス。
【請求項１６】
前記表示ユニットが、前記デスクトップに前記アプリケーションアイコンを表示するように構成されることは、
前記アプリケーションアイコンが、前記時間制御ルールが設定されている前記対象アプリケーションプログラムに対応する前記アイコンである場合に、前記アプリケーションアイコンにアノテーション識別子を表示すること、および、前記アノテーション識別子をクリックするための命令を受信した場合に、前記時間制御ルールを表示することを含む、請求項９または１０に記載の端末デバイス。
【発明の詳細な説明】
【技術分野】
【０００１】
本発明は、通信技術の分野、特に、オフラインでアプリケーションプログラム使用時間を管理するための方法、および、端末デバイスに関する。
【背景技術】
【０００２】
人々が携帯電話に費やす時間はますます長くなってきている。これらのユーザのうち、アプリケーション（Ａｐｐｌｉｃａｔｉｏｎ、Ａｐｐ）使用時間に注意を払わないか、または、アプリケーション使用時間を効果的に制御しない人々は大勢おり、彼らはＡｐｐ時間管理を強く必要としている。例えば、携帯電話でビデオを見るとき、ユーザは１０分ビデオを閲覧するつもりでいるが、実際には３０分注意を完全に集中させる。
【０００３】
更に、親としての責任を持つ者は、子供のＡｐｐ使用に対する「視聴制御」または「コンテンツロック」を実行することを必要としている。親としての責任を持つ者がロック解除用の「キー」を持ち歩く場合は、「コンテンツロック」がより効果的である。
【０００４】
現在、オフラインでＡＰＰ使用時間を管理するための方法は主に、子供用Ａｐｐが有する時間制御機能である。具体的な実装プロセスは以下の通りである。Ａｐｐが、時間範囲を制御するための内蔵式モジュールを有する。その時間範囲では、通常、携帯電話またはタブレットコンピュータのシステム権限を取得することができない。言い換えると、読み取りシステム時刻によって論理判定を実行することができない。
【０００５】
上述の技術的解決手段では、システム時刻を修正することによってＡｐｐの時間制御設定を無効化することができる。その結果として、有効性が比較的低く、更に、使用時間制御の柔軟性に欠ける。
【発明の概要】
【０００６】
このような事情を考慮して、本発明の実施形態は、オフラインシナリオでＡｐｐ使用時間を柔軟かつ効果的に管理すべく、オフラインでアプリケーションプログラム使用時間を管理するための方法、および、端末デバイスを提供する。
【０００７】
本発明のある実施形態は、オフラインでアプリケーションプログラム使用時間を管理するための方法を提供する。当該方法は、端末デバイスの起動後にデスクトップを表示すること、および、デスクトップにアプリケーションアイコンを表示することを行う段階と、アプリケーションアイコンのクリック後に、アプリケーションアイコンに対応する対象アプリケーションプログラムを起動する段階と、アプリケーションアイコンに対応する対象アプリケーションプログラムが、時間制御ルールが設定されているアプリケーションプログラムである場合に、対象アプリケーションプログラムの実際の使用継続時間に対する累積計時を実行する段階であって、時間制御ルールは、継続時間設定および延長設定を含む、実行する段階と、継続時間設定と実際の使用継続時間との差が予め設定された閾値より小さい場合に、時間制限が不十分であると提示すること、および、更には、延長設定がはいに設定されている場合に、時間延長が必要かどうかを示すためのメッセージを表示することを行う段階と、時間延長が必要であることを示す命令の後に本人認証が実行される場合に、本人認証が成功したら使用時間を延長すること、さもなければ、実際の使用継続時間が継続時間設定に達した後に対象アプリケーションプログラムを終了およびロックすることを行う段階とを含む。
【０００８】
上述の実施形態では、デスクトップにアプリケーションアイコンが表示されるときに使用時間管理が必ずしも必要とされるわけではなく、使用時間管理を必要とするアプリケーションに関して時間制御ルールが設定され、る。これらのアプリケーションは、対象アプリケーションプログラムと呼ばれる。この実施形態において、累積計時は、対象アプリケーションプログラムが使用される累積時間として理解されるべきである。言い換えると、対象アプリケーションプログラムが閉じられて再び使用される場合は、前回の使用と今回の使用との合計時間が累積される。累積の実装方法が一意的に限定されることはない。本人認証は、時間制御上の解決手段がパスワードの漏洩により失敗するのを防止すべく、指紋認証方法を用いることによって優先的に実装される。延長設定は使用時間を延長するための設定であり、通常は、使用時間をリセットすること、または、継続時間設定を上げることを含んでよい。その方式によって対象アプリケーションプログラムの使用時間を長くするのが可能になり得ることを前提として、任意の方式が使用され得る。これが本発明のこの実施形態に一意的に限定されることはない。
【０００９】
ある任意選択的な実装において、延長設定は、リセット設定または遅延設定を含み、本人認証が成功したら使用時間を延長する段階は、延長設定がリセット設定である場合に、本人認証が成功したと判定した後に累積計時をリセットする段階、または、延長設定が遅延設定である場合に、本人認証が成功したと判定した後に継続時間設定により指定されている時間を延長する段階を有する。
【００１０】
この実施形態において、リセット設定は、累積時間をゼロに設定して再び計時を実行する方式を指し、遅延設定は、対象アプリケーションプログラムが使用され得る継続時間を増やすことを意味する。ユーザの使用時間延長は、都合よく制御され得る。使用時間は延長されるが、そのときにリマインダがある。従って、対象アプリケーションプログラムの使用を減らすようユーザにリマインドするという目的が依然として実現され得る。対象アプリケーションプログラムを現在使用している人間が認証方法を設定する人間でない場合は、本人認証を成功させて使用時間を延長することができない。従って、使用時間制御が実装され得る。このように、端末デバイスで対象アプリケーションプログラムを用いる２つの異なるタイプのユーザ間のバランスが実現される。
【００１１】
ある任意選択的な実装において、時間制御ルールは更に、間隔設定を含み、アプリケーションアイコンのクリック後にアプリケーションアイコンに対応する対象アプリケーションプログラムを起動する段階の前に、当該方法は更に、対象プログラムの今回の起動時点と前回の終了時点との間の時間間隔が間隔設定に即しているかどうかを判定すること、および、即している場合に、アプリケーションアイコンのクリック後にアプリケーションアイコンに対応する対象アプリケーションプログラムを起動する段階を実行すること、または、即していない場合に、開始点が継続時間設定と実際の使用継続時間との差である、カウントダウンの提示情報を表示することを行う段階を備える。
【００１２】
この実施形態では更に、時間制御ルールが間隔設定を含むように設定される。なぜなら、対象アプリケーションプログラムによっては比較的短い継続時間設定が設定されてよく、これらの対象アプリケーションプログラムの頻繁な使用が回避される必要があるからである。従って、間隔設定を追加することで、比較的良い効果を挙げることができる。
【００１３】
ある任意選択的な実装において、本発明のこの実施形態は更に、時間制御ルール設定上の解決手段を提供する。具体的には以下の通りである。アプリケーションアイコンのクリック後にアプリケーションアイコンに対応する対象アプリケーションプログラムを起動する段階の前に、当該方法は更に、アプリケーションプログラム管理設定インタフェースを表示すること、および、ユーザの認証後にアプリケーションリストを表示することを行う段階と、ユーザによって選択された対象アプリケーションプログラムを受信すること、および、対象プログラムに関する時間制御ルールを受信することを行う段階と、アプリケーションリスト内のアプリケーションアイコンの表示領域に、対象アプリケーションに関する時間制御ルールを表示する段階とを備える。
【００１４】
ある任意選択的な実装において、本発明のこの実施形態は更に、異なる管理インタフェース起動シナリオに基づいており、かつ、異なる制御ポリシーを使用している、実装上の解決手段を以下に提供する。アプリケーションプログラム管理設定インタフェースを表示すること、および、ユーザの認証後にアプリケーションリストを表示することを行う段階は、設定管理インタフェースでアプリケーション時間管理命令を受信した後にアプリケーションプログラム管理インタフェースを表示する段階、並びに、アプリケーションプログラム管理インタフェースを起動するのは今回が初めてであるという場合に、アプリケーションリストを直接表示すること、および、認証設定を受信することを行う段階、または、アプリケーションプログラム管理インタフェースを起動するのは今回が初めてではないという場合に、認証設定により指定されている方法を用いることによってユーザを認証すること、および、ユーザの認証後にアプリケーションリストを表示することを行う段階を有する。
【００１５】
ある任意選択的な実装において、本発明のこの実施形態では、使用パスワードが盗まれるケースを防止すべく、好ましくは指紋認証が使用されてよい。更に、指紋認証では複数の異なる手指の指紋が設定されてよく、通常、これらの指は頻繁に使用されない指であってよい。具体的には以下の通りである。認証設定は指紋認証を含み、指紋認証は、手指の指紋認証を設定することを含む。
【００１６】
ある任意選択的な実装において、本発明のこの実施形態は更に、デスクトップが表示された後、時間制御ルールを初めて設定するというアプリケーションシナリオにおいてアプリケーションプログラム管理インタフェースが表示される、実装上の解決手段を以下に提供する。アプリケーションプログラム管理インタフェースを起動するのは今回が初めてであるという場合に、アプリケーションリストを直接表示すること、および、認証設定を受信することを行う段階の前に、当該方法は更に、端末デバイスの起動後にロックスクリーンインタフェースを表示すること、および、ロックスクリーン認証が成功した後、端末デバイスの起動後にデスクトップを表示する段階を実行することを行う段階を備える。
【００１７】
ある任意選択的な実装において、本発明のこの実施形態は更に、デスクトップに表示されているアプリケーションアイコンにおいて時間制御ルールが都合よく見られるといった実装上の解決手段を以下に提供する。デスクトップにアプリケーションアイコンを表示する段階は、アプリケーションアイコンが、時間制御ルールが設定されている対象アプリケーションプログラムに対応するアイコンである場合に、アプリケーションアイコンにアノテーション識別子を表示する段階と、アノテーション識別子をクリックするための命令を受信した場合に、時間制御ルールを表示する段階とを有する。
【００１８】
第２の態様によれば、本発明のある実施形態は更に、端末デバイスを提供する。当該端末デバイスは、端末デバイスの起動後にデスクトップを表示すること、および、デスクトップにアプリケーションアイコンを表示することを行うように構成されている表示ユニットと、アプリケーションアイコンのクリック後にアプリケーションアイコンに対応する対象アプリケーションプログラムを起動するように構成されているアプリケーション制御ユニットと、アプリケーションアイコンに対応する対象アプリケーションプログラムが、時間制御ルールが設定されているアプリケーションプログラムである場合に、対象アプリケーションプログラムの実際の使用継続時間に対する累積計時を実行するように構成されている計時ユニットであって、時間制御ルールは、継続時間設定および延長設定を含む、計時ユニットと、継続時間設定と実際の使用継続時間との差が予め設定された閾値より小さい場合に、時間制限が不十分であると提示すること、および、更には、延長設定がはいに設定されている場合に、時間延長が必要かどうかを示すためのメッセージを表示することを行うように構成されている提示ユニットとを備え、アプリケーション制御ユニットは更に、時間延長が必要であることを示す命令の後に本人認証が実行される場合に、本人認証が成功したら使用時間を延長すること、さもなければ、実際の使用継続時間が継続時間設定に達した後に対象アプリケーションプログラムを終了およびロックすることを行うように構成される。
【００１９】
ある任意選択的な実装において、延長設定は、リセット設定または遅延設定を含み、本人認証が成功したら使用時間を延長するように、アプリケーション制御ユニットが構成されることは、延長設定がリセット設定である場合に、本人認証が成功したと判定した後に累積計時をリセットすること、または、延長設定が遅延設定である場合に、本人認証が成功したと判定した後に継続時間設定により指定されている時間を延長することを含む。
【００２０】
ある任意選択的な実装において、時間制御ルールは更に、間隔設定を含み、アプリケーション制御ユニットは更に、アプリケーションアイコンのクリック後にアプリケーションアイコンに対応する対象アプリケーションプログラムを起動する前に、対象プログラムの今回の起動時点と前回の終了時点との間の時間間隔が間隔設定に即しているかどうかを判定すること、および、即している場合に、アプリケーションアイコンのクリック後にアプリケーションアイコンに対応する対象アプリケーションプログラムを起動することを実行すること、または、即していない場合に、開始点が継続時間設定と実際の使用継続時間との差である、カウントダウンの提示情報を表示させるべく表示ユニットを制御することを行うように構成される。
【００２１】
ある任意選択的な実装において、表示ユニットは更に、アプリケーションアイコンのクリック後にアプリケーションアイコンに対応する対象アプリケーションプログラムが起動する前、アプリケーションプログラム管理設定インタフェースを表示すること、および、ユーザの認証後にアプリケーションリストを表示することを行うように構成され、端末デバイスは更に、ユーザによって選択された対象アプリケーションプログラムを受信すること、および、対象プログラムに関する時間制御ルールを受信することを行うように構成されている受信ユニットを備え、表示ユニットは更に、アプリケーションリスト内のアプリケーションアイコンの表示領域に、対象アプリケーションに関する時間制御ルールを表示するように構成される。
【００２２】
ある任意選択的な実装において、表示ユニットが、アプリケーションプログラム管理設定インタフェースを表示すること、および、ユーザの認証後にアプリケーションリストを表示することを行うように構成されることは、設定管理インタフェースでアプリケーション時間管理命令を受信した後にアプリケーションプログラム管理インタフェースを表示すること、並びに、アプリケーションプログラム管理インタフェースを起動するのは今回が初めてであるという場合に、アプリケーションリストを直接表示すること、および、認証設定を受信することを行うこと、または、アプリケーションプログラム管理インタフェースを起動するのは今回が初めてではないという場合に、認証設定により指定されている方法を用いることによってユーザを認証すること、および、ユーザの認証後にアプリケーションリストを表示することを行うことを含む。
【００２３】
ある任意選択的な実装において、認証設定は指紋認証を含み、指紋認証は、手指の指紋認証を設定することを含む。
【００２４】
ある任意選択的な実装において、表示ユニットは更に、アプリケーションプログラム管理インタフェースを起動するのは今回が初めてであるという場合に、アプリケーションリストを直接表示すること、および、認証設定を受信することを行うことの前に、端末デバイスの起動後にロックスクリーンインタフェースを表示するように構成され、かつ、ロックスクリーン認証が成功した後に、デスクトップを表示することを実行するように構成される。
【００２５】
ある任意選択的な実装において、表示ユニットが、デスクトップにアプリケーションアイコンを表示するように構成されることは、アプリケーションアイコンが、時間制御ルールが設定されている対象アプリケーションプログラムに対応するアイコンである場合に、アプリケーションアイコンにアノテーション識別子を表示すること、および、アノテーション識別子をクリックするための命令を受信した場合に、時間制御ルールを表示することを含む。
【００２６】
上述の技術的解決手段からは、以下の利点があると分かる。すなわち、対象アプリケーションプログラムに関して時間制御ルールが設定されること、時間制御ルールが継続時間設定および延長設定を含むこと、および、累積時間方式で計時が実行されることから、システム時刻の使用によりセキュリティが比較的低いという問題が回避される。継続時間設定が使用されると、ユーザにとって使用し易いだけではなく、使用時間を制御することもできる。更に、延長設定方式が使用されると、一方では、認証されていないユーザの対象アプリケーション使用時間が制限され、他方では、認証されているユーザの正常な使用が保証され、認証されているユーザに対して使用継続時間がリマインドされる。更に、時間制御ルールが対象アプリケーションプログラムごとに別々に独立して設定されてよい。従って、オフラインシナリオでは、Ａｐｐ使用時間が柔軟かつ効果的に管理されてよい。
【図面の簡単な説明】
【００２７】
本発明の実施形態における技術的解決手段をより明確に説明すべく、以下では、これらの実施形態を説明するのに必要な添付図面について簡単に説明する。明らかに、以下の説明における添付図面は本発明の一部の実施形態を示しているに過ぎず、当業者であれば、創造的努力をすることなくこれらの添付図面から他の図面を導き出すことができる。
【００２８】
【図１】本発明のある実施形態に係るシステムアーキテクチャの概略図である。
【００２９】
【図２】本発明のある実施形態に係る操作インタフェースの概略図である。
【００３０】
【図３】本発明のある実施形態に係る操作インタフェースの概略図である。
【００３１】
【図４】本発明のある実施形態に係る操作インタフェースの概略図である。
【００３２】
【図５】本発明のある実施形態に係る操作インタフェースの概略図である。
【００３３】
【図６】本発明のある実施形態に係る操作インタフェースの概略図である。
【００３４】
【図７】本発明のある実施形態に係る操作インタフェースの概略図である。
【００３５】
【図８】本発明のある実施形態に係る操作インタフェースの概略図である。
【００３６】
【図９】本発明のある実施形態に係る操作インタフェースの概略図である。
【００３７】
【図１０】本発明のある実施形態に係る操作インタフェースの概略図である。
【００３８】
【図１１】本発明のある実施形態に係る操作インタフェースの概略図である。
【００３９】
【図１２】本発明のある実施形態に係る方法の概略フローチャートである。
【００４０】
【図１３】本発明のある実施形態に係る方法の概略フローチャートである。
【００４１】
【図１４】本発明のある実施形態に係る端末デバイスの概略構造図である。
【００４２】
【図１５】本発明のある実施形態に係る端末デバイスの概略構造図である。
【００４３】
【図１６】本発明のある実施形態に係る端末デバイスの概略構造図である。
【００４４】
【図１７】本発明のある実施形態に係る端末デバイスの概略構造図である。
【発明を実施するための形態】
【００４５】
本発明の目的、技術的解決手段および利点をより明確にすべく、以下では更に、添付図面を参照しながら本発明について詳しく説明する。明らかに、説明される実施形態は本発明の実施形態の一部に過ぎず、全てではない。当業者が創造的努力をすることなく本発明の実施形態に基づいて取得する他の実施形態は全て、本発明の保護範囲に含まれるものとする。
【００４６】
本発明の実施形態は、インターネットへの接続が必要でないときに、端末デバイス上の任意のＡｐｐの使用時間が、Ａｐｐタイムマネージャ（Ａｐｐタイムマネージャ、ＡＴＭ）を用いることによって自在に管理および制御される、解決手段を提供する。システム時刻の変更によって管理および制御が無効化されるのを回避すべく、絶対的なＡｐｐ使用継続時間および絶対的な間隔継続時間が計時基準として使用される。ＡＴＭ管理権限の認証により、システムロックスクリーンパスワードが呼び出されてよい。指紋支援付きデバイスについては、システム固有の指紋を認証クレデンシャルとして用いることで、携帯電話ロックスクリーンパスワードが漏洩し易いという、親としての責任を持つ者の問題を解決するのがより望ましい。
【００４７】
以下の実施形態では、携帯電話で使用されるＡｐｐを説明のための例に用いる。当然のことながら、本発明の実施形態における技術的解決手段は更に、携帯電話以外の別の端末デバイス、例えば、パーソナルコンピュータ、タブレットコンピュータまたは別の端末デバイスに適用されてよい。以下の実施形態は、以下の態様をそれぞれ詳しく説明している。
【００４８】
１．図１に示されている通り、本発明の実施形態におけるあるシステム構造は、ＡＴＭ権限設定、Ａｐｐフォアグラウンド実行計時モジュール、Ａｐｐ時間管理モジュール、Ａｐｐ時間制限提示モジュール、Ａｐｐロックモジュールおよび特権制御モジュールを含む。ここで、ＡＴＭ権限設定は、システム構造の入力部として使用され、Ａｐｐ時間制限提示モジュールは、出力制御モジュールであり、アラーム、ポップアップウィンドウおよび自動ロックスクリーン提示などを含む提示情報を出力し、Ａｐｐロックモジュールは、実行中のＡｐｐの終了またはロック時間提示などを含む時間制御の処理結果である。
【００４９】
２．以下では、図１に示されているシステム構造におけるモジュールについて詳しく説明する。Ａｐｐフォアグラウンド実行計時モジュール：フォアグラウンドＡｐｐの実行時間スライスを周期的に報告する。Ａｐｐ時間管理モジュール：管理中のＡｐｐおよび管理方式を追加、削除、変更および確認し、Ａｐｐ累積使用時間を記憶する。Ａｐｐ時間制限提示モジュール：アラームクロックインタフェースを呼び出し、ロックスクリーンインタフェースの材料管理を提供する。Ａｐｐロックモジュール：Ａｐｐプログラム終了インタフェースを呼び出し、Ａｐｐロックプログラムを起動し、使用時間が限度を超過して利用不可であることを提示する。ＡＴＭ権限設定：権限設定を開始する。特権制御モジュール：権限を認証し、時間管理を実行するＡｐｐに干渉し、リセットまたは遅延機能を提供する。
【００５０】
３．ユーザ側に基づく主要手順の例：
【００５１】
段階１：  図２に示されている通り、ユーザが携帯電話を起動し、携帯電話の全ての設定管理インタフェースを表示させ、図２に記されているＡＴＭ入力が示すメニュー「Ａｐｐタイムマネージャ」を見つける。
【００５２】
段階２：  初めての使用では、図３に示されている通り、ユーザが権限モジュール管理ページを直接表示させて権限設定を実行してよく、具体的には、切り替え制御による権限制御方式を選択してよい。指紋を用いるデバイスについては、指紋認証が望ましい。携帯電話システムに関連するモジュールを呼び出すことによって、指紋認証およびデジタルパスワード認証の両方が実装されてよい。
【００５３】
ユーザが指紋スイッチをオンにする場合は、図４に示されている通り、選択ダイアログボックスがポップアップした後、ユーザが特定の指紋を選択する。
【００５４】
段階３：  図５に示されている通り、「Ａｐｐ管理」の選択後にＡＴＭページが表示され、図６に示されている通り、携帯電話のＡＴＭアプリケーション管理インタフェースが表示される。Ａｐｐアプリケーションリストが表示され、ユーザがＡｐｐ１をクリックしてＡｐｐ１の管理設定ページを表示させる。図７は、Ａｐｐ１のＡＴＭ設定を示している。
【００５５】
段階４：  Ａｐｐ時間制御ルールが設定される。以下の図におけるＡｐｐ１を例に用いると、継続時間および間隔について、値が設定される必要があり、時間単位が選択される必要がある。リセット提示および遅延提示の選択については、「はい」オプションおよび「いいえ」オプションだけが提供される。
【００５６】
図７に示されている時間制御ルールは、使用時間４０分および使用間隔５分を含み、リセット提示および遅延提示の両方がいいえである。
【００５７】
設定の完了後、「ＡＴＭ  Ａｐｐ管理」インタフェースが再び表示される。その結果は図８に示されている。
【００５８】
アプリケーションアイコンＡｐｐ１に「管理中」と時間制御ルールの内容とが表示されている。
【００５９】
段階５：  図９には、Ａｐｐ１設定が一度管理および使用された後の携帯電話のデスクトップ上の表示が示されていることが想定される。Ａｐｐ１がＡＴＭプログラムによって管理されていることを表す丸印Ａが、Ａｐｐ１の右上隅に記されている。図１０に示されている通り、アイコンがクリックされ、ＡＴＭ情報、すなわち、残りの継続時間および使用間隔カウントダウンが表示される。
【００６０】
段階６：  図１１に示されている通り、使用時間の満了によってＡｐｐが終了される前に、当該Ａｐｐに関してリセットまたは遅延が設定されている場合は、リセットまたは遅延が提示される。認証後は、確認または設定が実行される必要がある。
【００６１】
４．権限に関連するインタラクションプロセス：
【００６２】
この実施形態では、権限インタラクションがプロセス１およびプロセス２を含む。これら２つのプロセスは並列的であり、少なくとも１つのプロセスが実行される必要がある。図１２に示されている通り、権限インタラクションは以下を含む。
【００６３】
プロセス１：ＡＴＭ権限設定がシステムロックスクリーンモジュールを呼び出して、システムのパスワードロックスクリーンを設定する。権限認証においてロックスクリーンパスワードが使用されてよい。設定が成功したと判定した後、システムロックスクリーンモジュールが結果を返す。
【００６４】
プロセス２：ＡＴＭ権限設定がシステム指紋モジュールを呼び出して指紋を認証クレデンシャルとして設定し、指定されている指紋を認証クレデンシャルとして用いる。
【００６５】
５．計時および管理インタラクション：
【００６６】
Ａｐｐ１を例に用いると、Ａｐｐ１の時間制御ルールに関して、２つの方式、すなわち、継続時間および間隔が設定され、リセットまたは遅延がはいに設定される。図１３に示されている通り、Ａｐｐ１使用時間管理システム・インタラクションプロセスは、以下の通り以下の段階を含む。
【００６７】
１３０１：時点ｔ１で、Ａｐｐ１が使用されると、端末ディスプレイフォアグラウンドは、時点ｔ１を報告する。
【００６８】
１３０２：フォアグラウンド実行計時モジュールは、時点ｔ２で時間スライスｔ２−ｔ１を報告し、時間管理モジュールに差を伝える。時間管理モジュールは、Ａｐｐ１が時間ｔ２−ｔ１にわたって使用されていることを記録する。
【００６９】
１３０３：時点ｔ３で、Ａｐｐ１の使用が終了される。端末ディスプレイフォアグラウンドは、フォアグラウンド実行計時モジュールにｔ３を送信する。フォアグラウンド実行計時モジュールは、終了時点ｔ３を記録し、ｔ３と時間スライスが前回報告された時点ｔ２との差を計算し、時間管理モジュールに差を伝える。この場合、時間管理モジュールは、Ａｐｐ１が合計時間ｔ３−ｔ１にわたって使用されていることを記録する。
【００７０】
１３０４：Ａｐｐ１が再び使用される。端末ディスプレイフォアグラウンドは、時間管理モジュールにｔ４を報告する。
【００７１】
１３０５：時間管理モジュールはまず、前回の使用の終了時刻と今回の使用の時刻との差が時間間隔設定を満たしているかどうか、すなわち、ｔ４−ｔ３が使用間隔より小さいかどうかを判定する。差が時間間隔設定を満たしている場合は使用が許可され、差が時間間隔設定を満たしていない場合は「カウントダウンＸＸ分ＸＸ秒」と提示される。この実施形態では、差が時間間隔設定を満たしていることが想定され、その後の手順が継続する。
【００７２】
１３０６：Ａｐｐ１が一定の期間にわたって使用された後、フォアグラウンド実行計時モジュールは、時点ｔ５で時間管理モジュールにｔ５−ｔ４を報告する。時間管理モジュールは、Ａｐｐ１に関する残り時間がＴ１より小さいことを記録し、これを時間制限提示モジュールに報告する。
【００７３】
１３０７：時間制限提示モジュールは、ユーザの残り時間がＴ１より小さいことを提示するポップアップウィンドウを表示する。
【００７４】
１３０８：Ａｐｐ１がＴ１時間にわたって再び使用される。フォアグラウンド実行計時モジュールは、時点ｔ６で時間管理モジュールにｔ６−ｔ５を報告する。時間管理モジュールは、限度に達したことを記録し、残り時間がゼロであることを提示するメッセージをロックモジュールに送信する。
【００７５】
１３０９：ロックモジュールは、特権制御モジュールにリセットまたは遅延クエリを送信する。特権制御モジュールは、リセットするか遅延させるかをユーザに提示するポップアップウィンドウを表示する。
【００７６】
１３１０：リセットまたは遅延設定では、まず権限認証を実行する必要がある。認証が成功した後は、使用を継続してよい。いいえが選択された場合は、Ａｐｐ１をロックさせるための命令がロックモジュールに返される。ロックモジュールは、Ａｐｐ１をロックし、Ａｐｐ１を終了する。
【００７７】
本発明のこの実施形態では、より自在な管理が可能になるよう、使用時間管理方式がＡｐｐごとに別々に設定されてよい。これは、自制力の弱い消費者が、娯楽的なＡｐｐに費やす時間を制御する能力を高めるのに役立つ。これは更に、子供がモバイルデバイスに費やす時間をより効果的に管理および制御すべく、親としての責任を持つ者が持ち歩くための指紋「キー」を提供する。
【００７８】
本発明のある実施形態は更に、端末デバイスを提供する。図１４に示されている通り、当該端末デバイスは、端末デバイスの起動後にデスクトップを表示すること、および、デスクトップにアプリケーションアイコンを表示することを行うように構成されている表示ユニット１４０１と、アプリケーションアイコンのクリック後にアプリケーションアイコンに対応する対象アプリケーションプログラムを起動するように構成されているアプリケーション制御ユニット１４０２と、アプリケーションアイコンに対応する対象アプリケーションプログラムが、時間制御ルールが設定されているアプリケーションプログラムである場合に、対象アプリケーションプログラムの実際の使用継続時間に対する累積計時を実行するように構成されている計時ユニット１４０３であって、時間制御ルールは、継続時間設定および延長設定を含む、計時ユニット１４０３と、継続時間設定と実際の使用継続時間との差が予め設定された閾値より小さい場合に、時間制限が不十分であると提示すること、および、更には、延長設定がはいに設定されている場合に、時間延長が必要かどうかを示すためのメッセージを表示することを行うように構成されている提示ユニット１４０４とを備え、アプリケーション制御ユニット１４０２は更に、時間延長が必要であることを示す命令の後に本人認証が実行される場合に、本人認証が成功したら使用時間を延長すること、さもなければ、実際の使用継続時間が継続時間設定に達した後に対象アプリケーションプログラムを終了およびロックすることを行うように構成される。
【００７９】
オプションとして、延長設定は、リセット設定または遅延設定を含み、アプリケーション制御ユニット１４０２が、本人認証が成功したら使用時間を延長するように構成されることは、延長設定がリセット設定である場合に、本人認証が成功したと判定した後に累積計時をリセットすること、または、延長設定が遅延設定である場合に、本人認証が成功したと判定した後に継続時間設定により指定されている時間を延長することを含む。
【００８０】
オプションとして、時間制御ルールは更に、間隔設定を含み、アプリケーション制御ユニット１４０２は更に、アプリケーションアイコンのクリック後にアプリケーションアイコンに対応する対象アプリケーションプログラムを起動する前に、対象プログラムの今回の起動時点と前回の終了時点との間の時間間隔が間隔設定に即しているかどうかを判定すること、および、即している場合に、アプリケーションアイコンのクリック後にアプリケーションアイコンに対応する対象アプリケーションプログラムを起動することを実行すること、または、即していない場合に、開始点が継続時間設定と実際の使用継続時間との差である、カウントダウンの提示情報を表示するための表示ユニット１４０１を制御することを行うように構成される。
【００８１】
更に、表示ユニット１４０１は更に、アプリケーションアイコンのクリック後にアプリケーションアイコンに対応する対象アプリケーションプログラムが起動する前に、アプリケーションプログラム管理設定インタフェースを表示すること、および、ユーザの認証後にアプリケーションリストを表示することを行うように構成される。
【００８２】
図１５に示されている通り、端末デバイスは更に、ユーザによって選択された対象アプリケーションプログラムを受信すること、および、対象プログラムに関する時間制御ルールを受信することを行うように構成されている受信ユニット１５０１を備え、表示ユニット１４０１は更に、アプリケーションリスト内のアプリケーションアイコンの表示領域に、対象アプリケーションに関する時間制御ルールを表示するように構成される。
【００８３】
オプションとして、表示ユニット１４０１が、アプリケーションプログラム管理設定インタフェースを表示すること、および、ユーザの認証後にアプリケーションリストを表示することを行うように構成されることは、設定管理インタフェースでアプリケーション時間管理命令を受信した後にアプリケーションプログラム管理インタフェースを表示すること、並びに、アプリケーションプログラム管理インタフェースを起動するのは今回が初めてであるという場合に、アプリケーションリストを直接表示すること、および、認証設定を受信することを行うこと、または、アプリケーションプログラム管理インタフェースを起動するのは今回が初めてではないという場合に、認証設定により指定されている方法を用いることによってユーザを認証すること、および、ユーザの認証後にアプリケーションリストを表示することを行うことを含む。
【００８４】
オプションとして、認証設定は、指紋認証を含み、指紋認証は、手指の指紋認証を設定することを含む。
【００８５】
更に、表示ユニット１４０１は更に、アプリケーションプログラム管理インタフェースを起動するのは今回が初めてであるという場合に、アプリケーションリストを直接表示すること、および、認証設定を受信することを行うことの前に、端末デバイスの起動後にロックスクリーンインタフェースを表示するように構成され、かつ、ロックスクリーン認証が成功した後に、デスクトップを表示することを実行するように構成される。
【００８６】
オプションとして、表示ユニット１４０１が、デスクトップにアプリケーションアイコンを表示するように構成されることは、アプリケーションアイコンが、時間制御ルールが設定されている対象アプリケーションプログラムに対応するアイコンである場合に、アプリケーションアイコンにアノテーション識別子を表示すること、および、アノテーション識別子をクリックするための命令を受信した場合に、時間制御ルールを表示することを含む。
【００８７】
本発明のある実施形態は更に、別の端末デバイスを提供する。図１６に示されている通り、当該端末デバイスは、表示スクリーン１６０１、入出力デバイス１６０２、プロセッサ１６０３およびメモリ１６０４を含む。メモリ１６０４は、端末デバイスの任意のデータを記憶するように構成されてよく、更には、プロセッサ１６０３によって実行されるデータ処理のプロセスにおいて必要とされるキャッシュを提供するように構成されてよい。
【００８８】
プロセッサ１６０３は、端末デバイスの起動後にデスクトップを表示すること、および、デスクトップにアプリケーションアイコンを表示することを行うことと、アプリケーションアイコンのクリック後にアプリケーションアイコンに対応する対象アプリケーションプログラムを起動することと、アプリケーションアイコンに対応する対象アプリケーションプログラムが、時間制御ルールが設定されているアプリケーションプログラムである場合に、対象アプリケーションプログラムの実際の使用継続時間に対する累積計時を実行することであって、時間制御ルールは、継続時間設定および延長設定を含む、実行することと、継続時間設定と実際の使用継続時間との差が予め設定された閾値より小さい場合に、時間制限が不十分であると提示すること、および、更には、延長設定がはいに設定されている場合に、時間延長が必要かどうかを示すためのメッセージを表示することを行うことと、時間延長が必要であることを示す命令の後に本人認証が実行される場合に、本人認証が成功したら使用時間を延長すること、さもなければ、実際の使用継続時間が継続時間設定に達した後に対象アプリケーションプログラムを終了およびロックすることを行うこととを制御および実行するように構成される。
【００８９】
オプションとして、延長設定は、リセット設定または遅延設定を含み、プロセッサ１６０３が、本人認証が成功したら使用時間を延長することを制御および実行するように構成されることは、延長設定がリセット設定である場合に、本人認証が成功したと判定した後に累積計時をリセットすること、または、延長設定が遅延設定である場合に、本人認証が成功したと判定した後に継続時間設定により指定されている時間を延長することを含む。
【００９０】
更に、時間制御ルールは更に、間隔設定を含み、プロセッサ１６０３は更に、アプリケーションアイコンのクリック後にアプリケーションアイコンに対応する対象アプリケーションプログラムを起動する前に、対象プログラムの今回の起動時点と前回の終了時点との間の時間間隔が間隔設定に即しているかどうかを判定すること、および、即している場合に、アプリケーションアイコンのクリック後にアプリケーションアイコンに対応する対象アプリケーションプログラムを起動する段階を実行すること、または、即していない場合に、開始点が継続時間設定と実際の使用継続時間との差である、カウントダウンの提示情報を表示させるべく表示ユニットを制御することを制御および実行するように構成される。
【００９１】
更に、プロセッサ１６０３は更に、アプリケーションアイコンのクリック後にアプリケーションアイコンに対応する対象アプリケーションプログラムが起動する前に、アプリケーションプログラム管理設定インタフェースを表示すること、および、ユーザの認証後にアプリケーションリストを表示することを行うことと、ユーザによって選択された対象アプリケーションプログラムを受信すること、および、対象プログラムに関する時間制御ルールを受信することを行うことと、アプリケーションリスト内のアプリケーションアイコンの表示領域に、対象アプリケーションに関する時間制御ルールを表示することとを制御および実行するように構成される。
【００９２】
オプションとして、プロセッサ１６０３は、アプリケーションプログラム管理設定インタフェースを表示すること、および、ユーザの認証後にアプリケーションリストを表示することを行うこと、設定管理インタフェースでアプリケーション時間管理命令を受信した後にアプリケーションプログラム管理インタフェースを表示すること、並びに、アプリケーションプログラム管理インタフェースを起動するのは今回が初めてであるという場合に、アプリケーションリストを直接表示すること、および、認証設定を受信することを行うこと、または、アプリケーションプログラム管理インタフェースを起動するのは今回が初めてではないという場合に、認証設定により指定されている方法を用いることによってユーザを認証すること、および、ユーザの認証後にアプリケーションリストを表示することを行うことを制御および実行するように構成される。
【００９３】
オプションとして、認証設定は指紋認証を含み、指紋認証は、手指の指紋認証を設定することを含む。
【００９４】
更に、プロセッサ１６０３が、アプリケーションプログラム管理インタフェースを起動するのは今回が初めてであるという場合に、アプリケーションリストを直接表示すること、および、認証設定を受信することを行うことを制御および実行するように構成されることの前に、当該方法は更に、端末デバイスの起動後にロックスクリーンインタフェースを表示すること、および、ロックスクリーン認証が成功した後、端末デバイスの起動後にデスクトップを表示する段階を実行することを行う段階を備える。
【００９５】
オプションとして、プロセッサ１６０３が、デスクトップにアプリケーションアイコンを表示することを制御および実行するように構成されることは、アプリケーションアイコンが、時間制御ルールが設定されている対象アプリケーションプログラムに対応するアイコンである場合に、アプリケーションアイコンにアノテーション識別子を表示すること、および、アノテーション識別子をクリックするための命令を受信した場合に、時間制御ルールを表示することを含む。
【００９６】
本発明のある実施形態は更に、別の端末デバイスを提供する。図１７に示されている通り、説明し易くするために、本発明の実施形態に関連する部分だけが示されている。開示されていない具体的な技術的詳細については、本発明の実施形態の方法の部分を参照されたい。端末デバイスは、携帯電話、タブレットコンピュータ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、店舗販売時点情報管理）または車載コンピュータなどを含む任意の端末デバイスであってよい。端末デバイスが携帯電話である例が使用されている。
【００９７】
図１７は、本発明のある実施形態に係る端末デバイスに関連する携帯電話の部分的構造のブロック図である。図１７を参照すると、携帯電話は、無線周波（Ｒａｄｉｏ  Ｆｒｅｑｕｅｎｃｙ、ＲＦ）回路１７１０、メモリ１７２０、入力ユニット１７３０、表示ユニット１７４０、センサ１７５０、音声回路１７６０、ワイヤレスフィデリティ（ｗｉｒｅｌｅｓｓ  ｆｉｄｅｌｉｔｙ、Ｗｉ−Ｆｉ）モジュール１７７０、プロセッサ１７８０および電源１７９０などのコンポーネントを含む。当業者であれば、図１７に示されている携帯電話の構造が携帯電話の制限にならないこと、および、図に示されているコンポーネントより多いまたはより少ないコンポーネントを携帯電話が含んでもよいし、幾つかのコンポーネントが組み合わされてもよいし、複数の異なるコンポーネント配置が使用されてもよいことを理解することができる。
【００９８】
以下では、図１７を参照しながら携帯電話のコンポーネントについて具体的に説明する。
【００９９】
ＲＦ回路１７１０は、通話プロセスにおいて、情報の受信および送信、並びに、信号の受信および送信を行うように構成されてよい。具体的には、ＲＦ回路は、基地局からダウンリンク情報を受信した後、当該ダウンリンク情報を処理のためプロセッサ１７８０に配信し、基地局に関連アップリンクデータを送信する。通常、ＲＦ回路１７１０は、限定されるわけではないが、アンテナ、少なくとも１つの増幅器、トランシーバ、カプラ、低ノイズ増幅器（Ｌｏｗ  Ｎｏｉｓｅ  Ａｍｐｌｉｆｉｅｒ、ＬＮＡ）およびデュプレクサなどを含む。更に、ＲＦ回路１７１０は、無線通信によりネットワークおよび別のデバイスと通信してもよい。無線通信は、限定されるわけではないが、グローバルシステム・フォー・モバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、ロングタームエボリューション（Ｌｏｎｇ  Ｔｅｒｍ  Ｅｖｏｌｕｔｉｏｎ、ＬＴＥ）、ｅメールおよびショートメッセージングサービス（Ｓｈｏｒｔ  Ｍｅｓｓａｇｉｎｇ  Ｓｅｒｖｉｃｅ、ＳＭＳ）などを含む任意の通信基準またはプロトコルを使用してよい。
【０１００】
メモリ１７２０は、ソフトウェアプログラムおよびモジュールを記憶するように構成されてよい。プロセッサ１７８０は、メモリ１７２０に記憶されているソフトウェアプログラムおよびモジュールを実行して、携帯電話の様々な機能アプリケーションおよびデータ処理を実行する。メモリ１７２０は主に、プログラム記憶領域およびデータ記憶領域を含んでよい。プログラム記憶領域は、オペレーティングシステム、および、少なくとも１つの機能（音響再生機能および画像表示機能など）によって必要とされるアプリケーションプログラムなどを記憶してよい。データ記憶領域は、携帯電話の使用に基づいて作成されたデータ（音声データおよびアドレス帳など）などを記憶してよい。更に、メモリ１７２０は、高速ランダムアクセスメモリを含んでよく、更には、少なくとも１つの磁気ディスク記憶デバイス、フラッシュメモリ、または、別の揮発性ソリッドステート記憶デバイスなどの不揮発性メモリを含んでよい。
【０１０１】
入力ユニット１７３０は、入力された数字または文字情報を受信し、かつ、携帯電話のユーザ設定および機能制御に関連するキーボード信号入力を生成するように構成されてよい。具体的には、入力ユニット１７３０は、タッチパネル１７３１および別の入力デバイス１７３２を含んでよい。タッチスクリーンとも呼ばれるタッチパネル１７３１は、タッチパネル１７３１の上または近くにおけるユーザのタッチ操作（指またはスタイラスなどの任意の最適な物または付属品を用いることによってタッチパネル１７３１の上またはタッチパネル１７３１の近くにおけるユーザの操作など）を収集してよく、予め設定されたプログラムに基づいて、対応する接続装置を駆動してよい。オプションとして、タッチパネル１７３１は、２つの部分、すなわち、タッチ検出装置およびタッチコントローラを含んでよい。タッチ検出装置は、ユーザのタッチ位置を検出し、タッチ操作によって生成された信号を検出し、当該信号をタッチコントローラに転送する。タッチコントローラは、タッチ検出装置からタッチ情報を受信し、当該タッチ情報をタッチポイント座標に変換し、当該タッチポイント座標をプロセッサ１７８０に送信する。更に、タッチコントローラは、プロセッサ１７８０から送信されたコマンドを受信および実行することができる。更に、タッチパネル１７３１は、抵抗式、容量式、赤外線式または表面弾性波式のタッチパネルなど、複数のタイプに実装されてよい。タッチパネル１７３１に加えて、入力ユニット１７３０は更に、別の入力デバイス１７３２を含んでよい。具体的には、別の入力デバイス１７３２は、限定されるわけではないが、物理キーボード、機能キー（音量調節キーまたは切り替えキーなど）、トラックボール、マウスおよびジョイスティックのうちの１つまたは複数を含んでよい。
【０１０２】
表示ユニット１７４０は、ユーザによって入力された情報、または、ユーザに対して提供された情報、および、携帯電話の様々なメニューを表示するように構成されてよい。表示ユニット１７４０は、表示パネル１７４１を含んでよい。オプションとして、表示パネル１７４１は、液晶ディスプレイ（Ｌｉｑｕｉｄ  Ｃｒｙｓｔａｌ  Ｄｉｓｐｌａｙ、ＬＣＤ）または有機発光ダイオード（Ｏｒｇａｎｉｃ  Ｌｉｇｈｔ−Ｅｍｉｔｔｉｎｇ  Ｄｉｏｄｅ、ＯＬＥＤ）などを用いることによって構成されてよい。更に、タッチパネル１７３１は、表示パネル１７４１をカバーしてよい。タッチパネル１７３１の上または近くにおけるタッチ操作を検出した後、タッチパネル１７３１は、当該タッチ操作をプロセッサ１７８０に転送して、タッチイベントのタイプを判定する。次に、プロセッサ１７８０は、タッチイベントのタイプに従って、対応する視覚的出力を表示パネル１７４１に提供する。図１７では、タッチパネル１７３１および表示パネル１７４１が、携帯電話の入力および入力機能を実装する２つの別個の部分として使用されているが、幾つかの実施形態では、タッチパネル１７３１および表示パネル１７４１が統合されて、携帯電話の入力機能および出力機能を実装してよい。
【０１０３】
携帯電話は更に、光学センサ、モーションセンサおよび他のセンサなど、少なくとも１つのセンサ１７５０を含んでよい。具体的には、光学センサは、周辺光センサおよび近接センサを含んでよい。周辺光センサは、周辺光の明るさに基づいて表示パネル１７４１の輝度を調整してよい。近接センサは、携帯電話を耳まで動かしたときに、表示パネル１７４１および／またはバックライトをオフにしてよい。モーションセンサの１つのタイプとして、加速度センサが（通常は３軸上の）様々な方向における加速度の大きさを検出してよく、静止時の重力の大きさおよび方向を検出してよく、携帯電話ジェスチャのアプリケーション（横型スクリーンと縦型スクリーンとの切り替え、関連ゲーム、および、磁力計の姿勢較正など）および振動認識に関連する機能（歩数計およびノックなど）などを識別するように構成されてよい。本明細書では、ジャイロスコープ、気圧計、湿度計、温度計および赤外線センサなど、携帯電話において構成され得る他のセンサについては更に説明しない。
【０１０４】
可聴周波回路１７６０、スピーカ１７６１およびマイク１７６２が、ユーザと携帯電話との間に音声インタフェースを提供してよい。可聴周波回路１７６０は、受信された音声データを電気信号に変換してよく、当該電気信号をスピーカ１７６１に伝えてよい。スピーカ１７６１は、当該電気信号を出力のため音響信号に変換する。他方では、マイク１７６２が、収集された音響信号を電気信号に変換する。可聴周波回路１７６０は、電気信号を受信して電気信号を音声データに変換し、当該音声データを処理のためプロセッサ１７８０に出力する。次に、プロセッサ１７８０は、ＲＦ回路１７１０を用いることによって、音声データを、例えば、別の携帯電話に送信するか、または、音声データを更なる処理のためメモリ１７２０に出力する。
【０１０５】
Ｗｉ−Ｆｉは近距離無線伝送技術である。携帯電話は、Ｗｉ−Ｆｉモジュール１７７０を用いることによって、ユーザによるｅメールの受信および送信、ウェブページの閲覧、ストリーミングメディアへのアクセスなどに役立つかもしれず、ユーザに無線ブロードバンドインターネットアクセスを提供する。図１７はＷｉ−Ｆｉモジュール１７７０を示しているが、Ｗｉ−Ｆｉモジュールが携帯電話の必要なコンポーネントではないこと、および、必要とされる場合は、本発明の本質の範囲が変更されないことを前提として、Ｗｉ−Ｆｉモジュールが省略され得ることを理解することができる。
【０１０６】
プロセッサ１７８０は、携帯電話の制御センタであり、様々なインタフェースおよびラインを用いることによって、携帯電話の様々な部分に接続される。メモリ１７２０に記憶されたソフトウェアプログラムおよび／またはモジュールを起動または実行すること、および、メモリ１７２０に記憶されたデータを呼び出すことによって、プロセッサ１７８０は、携帯電話の様々な機能およびデータ処理を実行することで、携帯電話の全体的なモニタリングを実行する。オプションとして、プロセッサ１７８０は、１つまたは複数の処理ユニットを含んでよい。好ましくは、プロセッサ１７８０は、アプリケーションプロセッサおよびモデムプロセッサを統合してよい。アプリケーションプロセッサは主に、オペレーティングシステム、ユーザインタフェースおよびアプリケーションプログラムなどを処理する。モデムプロセッサは主に、無線通信を処理する。代わりに、上述のモデムプロセッサはプロセッサ１７８０に統合されないかもしれないことを理解することができる。
【０１０７】
携帯電話は更に、コンポーネントに電力を供給するための電源１７９０（電池など）を含む。好ましくは、電源は、電力管理システムを用いることによってプロセッサ１７８０に論理的に接続されることで、電力管理システムを用いることによる充電、放電および電力消費管理などの機能を実装してよい。
【０１０８】
図には示されていないが、携帯電話は更に、カメラおよびＢｌｕｅｔｏｏｔｈ（登録商標）モジュールなどを含んでよいが、本明細書では詳細について説明しない。
【０１０９】
上述の実施形態において端末デバイスによって実行される段階は、図１７に示されているハードウェア構造に基づいてよい。
【０１１０】
端末デバイスの分割は論理機能の分割に過ぎず、対応する機能が実装され得ることを前提として、本発明が上述の分割に限定されるわけではないことに留意すべきである。更に、機能ユニットの具体的な名前は、これらのユニットを互いに区別することを目的として提供されているに過ぎず、本発明の保護範囲の限定を意図するものではない。
【０１１１】
更に、当業者であれば、方法に係る実施形態の段階の全てまたは幾つかが、関連ハードウェアに命令するプログラムによって実装され得ることを理解することができる。プログラムは、コンピュータ可読記憶媒体に記憶されてよい。記憶媒体は、リードオンリメモリ、磁気ディスクまたは光ディスクを含んでよい。
【０１１２】
上述の説明は、本発明の実装方式の例に過ぎず、本発明の保護範囲の限定を意図するものではない。本発明の実施形態で開示されている技術的範囲内で当業者が容易に考え付く変更または置き換えは何れも、本発明の保護範囲に含まれるものとする。従って、本発明の保護範囲は、特許請求の範囲の保護範囲に従うものとする。
【図１】
2020184367.tif 000003
【図２】
2020184367.tif 000004
【図３】
2020184367.tif 000005
【図４】
2020184367.tif 000006
【図５】
2020184367.tif 000007
【図６】
2020184367.tif 000008
【図７】
2020184367.tif 000009
【図８】
2020184367.tif 000010
【図９】
2020184367.tif 000011
【図１０】
2020184367.tif 000012
【図１１】
2020184367.tif 000013
【図１２】
2020184367.tif 000014
【図１３】
2020184367.tif 000015
【図１４】
2020184367.tif 000016
【図１５】
2020184367.tif 000017
【図１６】
2020184367.tif 000018
【図１７】
2020184367.tif 000019
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ディスプレイ、少なくとも一つのプロセッサ、およびメモリを備える電子デバイスであって、前記メモリは、複数の命令を有し、前記複数の命令は、前記少なくとも一つのプロセッサによって実行される場合に、少なくとも、
第１のアプリケーションを起動する段階と、
前記第１のアプリケーションに対する第１の使用時間量が前記第１のアプリケーションに対して予め設定された第１の時間制限に達し、前記第１のアプリケーションをロックしていることを示す第１の提示を表示する段階と、
第２のアプリケーションを起動する段階と、
前記第２のアプリケーションに対する第２の使用時間量が前記第２のアプリケーションに対して予め設定された第２の時間制限に達し、前記第２のアプリケーションをロックしていることを示す第２の提示を表示する段階と、
前記第２のアプリケーションに対する時間延長を要求する命令を受信する段階と、
パスワード認証のために前記電子デバイスに入力された一連の数字を検出する段階と、
検出された前記一連の数字が予め設定されたパスワードに対応することを判定したことに応じて前記第２のアプリケーションの使用を延長する段階と、
を前記電子デバイスに実行させる、
電子デバイス。
【請求項２】
前記複数の命令は、前記少なくとも一つのプロセッサによって実行される場合に、
権限設定オプションおよびアプリケーション管理オプションを有するアプリケーション時間管理インタフェースを表示する段階と、
前記権限設定オプションを選択するための第１の入力を受信する段階と、
第２の入力に基づいて前記予め設定されたパスワードを受信する段階と、
前記アプリケーション管理オプションを選択するための第３の入力を受信する段階と、
前記電子デバイスにインストールされる複数のアプリケーションを表示する段階と、
前記複数のアプリケーションから前記第１のアプリケーションを選択するための第４の入力を受信する段階と、
前記第１のアプリケーションのための前記第１の時間制限を受信する段階と、
前記複数のアプリケーションから前記第２のアプリケーションから前記第を選択するための第５の入力を受信する段階と、
前記第２のアプリケーションのための前記第２の時間制限を受信する段階と、
を前記電子デバイスに更に実行させる、請求項１に記載の電子デバイス。
【請求項３】
前記複数の命令は、前記少なくとも一つのプロセッサによって実行される場合に、
前記第１の時間制限と前記第１の使用時間量との間の差が予め設定された閾値と同じまたは未満である場合には、第３の提示を表示する段階、または、前記第２の時間制限と前記第２の使用時間量との間の差が予め設定された閾値と同じまたは未満である場合には、第４の提示を表示する段階、を前記電子デバイスに更に実行させる
請求項１または２に記載の電子デバイス。
【請求項４】
前記第２のアプリケーションの前記使用を延長する前記段階は、予め定められた時間だけ前記第２のアプリケーションの期間を延長する段階を有する
請求項１から３のいずれか一項に記載の電子デバイス。
【請求項５】
前記第２のアプリケーションの前記使用を延長する前記段階は、前記第２のアプリケーションに対する使用継続時間をリセットする段階を有する、請求項１から３のいずれか一項に記載の電子デバイス。
【請求項６】
前記複数の命令は、前記少なくとも一つのプロセッサによって実行される場合に、
前記第１の使用時間量が前記第１の時間制限に達する場合に、異なる外観を有する、前記第１のアプリケーションに対応する第１のアイコンを表示する段階、または、前記第２の使用時間量が前記第２の時間制限に達する場合に、異なる外観を有する、前記第２のアプリケーションに対応する第２のアイコンを表示する段階を、前記電子デバイスに更に実行させる
請求項１から５のいずれか一項に記載の電子デバイス。
【請求項７】
前記第２のアプリケーションに対して間隔が予め設定され、
前記複数の命令は、前記少なくとも一つのプロセッサによって実行される場合に、
前記第２のアプリケーションを開始する前に、前記第２のアプリケーションを開始する現在の時点と前記第２のアプリケーションを終了させる前回の時点との間の期間が前記間隔に即していると決定する段階を前記電子デバイスに更に実行させる、
請求項１から６のいずれか一項に記載の電子デバイス。
【請求項８】
前記複数の命令は、前記少なくとも一つのプロセッサによって実行される場合に、
前記第１の時間制限が前記第１のアプリケーションに対して設定されたことを示すべく、前記第１のアプリケーションに対応する第１のアイコン上に第１の識別子を表示する段階、または、前記第２の時間制限が前記第２のアプリケーションに対して設定されたことを示すべく、前記第２のアプリケーションに対応する第２のアイコン上に第２の識別子を表示する段階、を前記電子デバイスに更に実行させる、
請求項１から７のいずれか一項に記載の電子デバイス。
【請求項９】
前記複数の命令は、前記少なくとも一つのプロセッサによって実行される場合に、
前記第１の識別子に対する第６の入力に基づいて前記第１の時間制限を表示する段階、または、前記第２の識別子に対する第７の入力に基づいて前記第２の時間制限を表示する段階、を前記電子デバイスに更に実行させる
請求項８に記載の電子デバイス。
【請求項１０】
前記第１の提示または前記第２の提示が、ポップアップウィンドウの形式で表示される、請求項１から９のいずれか一項に記載の電子デバイス。
【請求項１１】
電子デバイスのための方法であって、
第１のアプリケーションを起動する段階と、
前記第１のアプリケーションに対する第１の使用時間量が前記第１のアプリケーションに対して予め設定された第１の時間制限に達し、前記第１のアプリケーションをロックしていることを示す第１の提示を表示する段階と、
第２のアプリケーションを起動する段階と、
前記第２のアプリケーションに対する第２の使用時間量が前記第２のアプリケーションに対して予め設定された第２の時間制限に達し、前記第２のアプリケーションをロックしていることを示す第２の提示を表示する段階と、
前記第２のアプリケーションに対する時間延長を要求する命令を受信する段階と、
パスワード認証のために前記電子デバイスに入力された一連の数字を検出する段階と、
検出された前記一連の数字が予め設定されたパスワードに対応することを判定したことに応じて前記第２のアプリケーションの使用を延長する段階と、
を備える、方法。
【請求項１２】
権限設定オプションおよびアプリケーション管理オプションを有するアプリケーション時間管理インタフェースを表示する段階と、
前記権限設定オプションを選択するための第１の入力を受信する段階と、
第２の入力に基づいて前記予め設定されたパスワードを受信する段階と、
前記アプリケーション管理オプションを選択するための第３の入力を受信する段階と、
前記電子デバイスにインストールされる複数のアプリケーションを表示する段階と、
前記複数のアプリケーションから前記第１のアプリケーションを選択するための第４の入力を受信する段階と、
前記第１のアプリケーションのための前記第１の時間制限を受信する段階と、
前記複数のアプリケーションから前記第２のアプリケーションから前記第を選択するための第５の入力を受信する段階と、
前記第２のアプリケーションのための前記第２の時間制限を受信する段階と、
を更に備える、
請求項１１に記載の方法。
【請求項１３】
前記第１の時間制限と前記第１の使用時間量との間の差が予め設定された閾値と同じまたは未満である場合には、第３の提示を表示する段階、または、前記第２の時間制限と前記第２の使用時間量との間の差が予め設定された閾値と同じまたは未満である場合には、第４の提示を表示する段階、を更に備える、
請求項１１または１２に記載の方法。
【請求項１４】
前記第２のアプリケーションの前記使用を延長する前記段階は、予め定められた時間だけ前記第２のアプリケーションの期間を延長する段階を有する
請求項１１から１３のいずれか一項に記載の方法。
【請求項１５】
前記第２のアプリケーションの前記使用を延長する前記段階は、前記第２のアプリケーションに対する使用継続時間をリセットする段階を有する、請求項１１から１３のいずれか一項に記載の方法。
【請求項１６】
前記第１の使用時間量が前記第１の時間制限に達する場合に、異なる外観を有する、前記第１のアプリケーションに対応する第１のアイコンを表示する段階、または、前記第２の使用時間量が前記第２の時間制限に達する場合に、異なる外観を有する、前記第２のアプリケーションに対応する第２のアイコンを表示する段階を、更に備える、
請求項１１から１５のいずれか一項に記載の方法。
【請求項１７】
前記第２のアプリケーションに対して間隔が予め設定され、
前記第２のアプリケーションを開始する前に、前記第２のアプリケーションを開始する現在の時点と前記第２のアプリケーションを終了させる前回の時点との間の期間が前記間隔に即していると決定する段階、を更に備える、
請求項１１から１６のいずれか一項に記載の方法。
【請求項１８】
前記第１の時間制限が前記第１のアプリケーションに対して設定されたことを示すべく、前記第１のアプリケーションに対応する第１のアイコン上に第１の識別子を表示する段階、または、前記第２の時間制限が前記第２のアプリケーションに対して設定されたことを示すべく、前記第２のアプリケーションに対応する第２のアイコン上に第２の識別子を表示する段階、を更に備える、
請求項１１から１７のいずれか一項に記載の方法。
【請求項１９】
前記第１の識別子に対する第６の入力に基づいて前記第１の時間制限を表示する段階、または、前記第２の識別子に対する第７の入力に基づいて前記第２の時間制限を表示する段階、を更に備える、
請求項１８に記載の方法。
【請求項２０】
前記第１の提示または前記第２の提示が、ポップアップウィンドウの形式で表示される、請求項１１から１９のいずれか一項に記載の方法。
【請求項２１】
複数の命令を含むプログラムであって、前記複数の命令は、少なくとも一つのプロセッサによって実行される場合に、
第１のアプリケーションを起動する段階と、
前記第１のアプリケーションに対する第１の使用時間量が前記第１のアプリケーションに対して予め設定された第１の時間制限に達し、前記第１のアプリケーションをロックしていることを示す第１の提示を表示する段階と、
第２のアプリケーションを起動する段階と、
前記第２のアプリケーションに対する第２の使用時間量が前記第２のアプリケーションに対して予め設定された第２の時間制限に達し、前記第２のアプリケーションをロックしていることを示す第２の提示を表示する段階と、
前記第２のアプリケーションに対する時間延長を要求する命令を受信する段階と、
パスワード認証のために電子デバイスに入力された一連の数字を検出する段階と、
検出された前記一連の数字が予め設定されたパスワードに対応することを判定したことに応じて前記第２のアプリケーションの使用を延長する段階と、を前記電子デバイスに実行させる
プログラム。
【外国語明細書】
2020184367000001.pdf